(57)【要約】【課題】多灯撮影における本発光までの時間を短縮すること。【解決手段】カメラ３０は、複数の発光装置２０（２０Ａ〜２０Ｄ）に対し、本発光前の予備発光の指示と、本発光のための本発光指示とを送る発光指示部と、本発光前に発光装置２０（２０Ａ〜２０Ｄ）ごとの予備発光の適否を判定する判定部と、判定部で否定判定された発光装置に対し、さらに予備発光指示を送るように発光指示部を制御する制御部と、を備え、発光指示部は、１回目の予備発光指示を全ての発光装置２０（２０Ａ〜２０Ｄ）へ送ってから、判定部で否定判定された発光装置へ複数回目の予備発光指示を送る。【選択図】図２
2015041053.tif 000002
【特許請求の範囲】
【請求項１】
複数の発光装置に対し、本発光前の予備発光の指示と、前記本発光のための本発光指示とを送る発光指示部と、
前記本発光前に前記発光装置ごとの前記予備発光の適否を判定する判定部と、
前記判定部で否定判定された発光装置に対し、さらに予備発光指示を送るように前記発光指示部を制御する制御部と、を備え、
前記発光指示部は、１回目の前記予備発光指示を全ての前記発光装置へ送ってから、前記判定部で否定判定された発光装置へ複数回目の予備発光指示を送ることを特徴とするカメラ。
【請求項２】
請求項１に記載のカメラにおいて、
前記発光指示部は、一の発光装置で行われた前記予備発光に対して前記判定部で適否が判定される前に、次の発光装置へ前記予備発光指示を送ることを特徴とするカメラ。
【請求項３】
請求項１または２に記載のカメラにおいて、
前記発光指示部は、前記複数の発光装置がグループ分けされたグループ単位で前記予備発光指示を送り、
前記判定部は、前記グループごとの前記予備発光の適否を判定し、
前記制御部は、前記判定部で否定判定されたグループ内の発光装置に対し、さらに予備発光指示を送るように前記発光指示部を制御し、
前記発光指示部は、１回目の前記予備発光指示を全ての前記グループの発光装置へ送ってから、前記判定部で否定判定されたグループ内の発光装置へ複数回目の予備発光指示を送ることを特徴とするカメラ。
【請求項４】
請求項１〜３のいずれか一項に記載のカメラにおいて、
前記発光装置が前記予備発光した場合における被写体からの反射光量に基づいて、前記発光装置の本発光時の発光量を演算する演算部を備えることを特徴とするカメラ。
【請求項５】
請求項４に記載のカメラにおいて、
前記判定部は、前記反射光量が所定レベルより小さい場合に前記否定判定することを特徴とするカメラ。
【発明の詳細な説明】
【技術分野】
【０００１】
本発明は、カメラに関する。
【背景技術】
【０００２】
複数の電子閃光装置を発光させる多灯フラッシュ撮影システムが知られている（特許文献１参照）。特許文献１によれば、マスター電子閃光装置から複数のリモート電子閃光装置に対して、それぞれモニタ発光のコマンドを送信する。モニタ発光時の測光データのＳ／Ｎが悪いと判断された場合は、前回より大きな光量でモニタ発光するように、再度モニタ発光のコマンドが送信される。
【先行技術文献】
【特許文献】
【０００３】
【特許文献１】特開２００８−３２９０９号公報
【発明の概要】
【発明が解決しようとする課題】
【０００４】
一般に、電子閃光装置の１回目のモニタ発光に基づく演算結果によって２回目のモニタ発光の要否が判定される。この判定結果を待ってから、２回目のモニタ発光が制御されたり、他の電子閃光装置に対する１回目のモニタ発光が制御されたりする。このような処理を複数の電子閃光装置を対象に順番に行うと、本撮影露光開始までの時間（レリーズタイムラグ）が長くなってしまう。
【課題を解決するための手段】
【０００５】
本発明によるカメラは、複数の発光装置に対し、本発光前の予備発光の指示と、本発光のための本発光指示とを送る発光指示部と、本発光前に発光装置ごとの予備発光の適否を判定する判定部と、判定部で否定判定された発光装置に対し、さらに予備発光指示を送るように発光指示部を制御する制御部と、を備え、発光指示部は、１回目の予備発光指示を全ての発光装置へ送ってから、判定部で否定判定された発光装置へ複数回目の予備発光指示を送ることを特徴とする。
【発明の効果】
【０００６】
本発明によるカメラでは、多灯撮影における本発光までの時間を短縮し得る。
【図面の簡単な説明】
【０００７】
【図１】本発明の一実施の形態による撮影システムの構成を例示する図である。
【図２】カメラ、マスター無線アダプタ、リモート無線アダプタおよび電子閃光装置の構成を例示するブロック図である。
【図３】マスター無線アダプタがリモート無線アダプタとの間で行う無線通信を説明する図である。
【図４】多灯撮影においてＴＴＬ調光制御を行う場合のタイミングを説明する図である。
【図５】図４と比較を行うための図である。
【発明を実施するための形態】
【０００８】
以下、図面を参照して本発明を実施するための形態について説明する。図１は、本発明の一実施の形態による撮影システムの構成を例示する図である。図１の撮影システムは、マスター無線アダプタ１０および電子閃光装置２０がそれぞれ装着されたカメラ３０と、リモート無線アダプタ１０Ａが装着された電子閃光装置２０Ａと、リモート無線アダプタ１０Ｂが装着された電子閃光装置２０Ｂと、リモート無線アダプタ１０Ｃが装着された電子閃光装置２０Ｃと、リモート無線アダプタ１０Ｄが装着された電子閃光装置２０Ｄと、によって多灯フラッシュ撮影システムを構成する。
【０００９】
電子閃光装置２０、および電子閃光装置２０Ａ〜電子閃光装置２０Ｄは、それぞれがカメラ３０のアクセサリシューと嵌合するカメラ取り付け脚を有する。図１の例では、電子閃光装置２０のみがカメラ取り付け脚によって直接カメラ３０に装着され、電子閃光装置２０Ａ〜２０Ｄは、カメラ取り付け脚によってリモート無線アダプタ１０Ａ〜１０Ｄにそれぞれ装着される。なお、電子閃光装置の中にリモート無線アダプタを内蔵させてもよい。
【００１０】
マスター無線アダプタ１０は、カメラ３０の側面の接続端子（不図示）に装着される。リモート無線アダプタ１０Ａ〜１０Ｄは、それぞれ上記電子閃光装置２０Ａ〜２０Ｄのカメラ取り付け脚と嵌合するアクセサリシューを有する。リモート無線アダプタ１０Ａ〜１０Ｄのアクセサリシューに、電子閃光装置２０Ａ〜２０Ｄが装着される。
【００１１】
カメラ３０に直接装着された電子閃光装置２０は、アクセサリシューに備えられる不図示の端子を介してカメラ３０との間で有線通信する。カメラ３０の側面に装着されたマスター無線アダプタ１０は、不図示の接続端子を介してカメラ３０との間で有線通信する。
【００１２】
マスター無線アダプタ１０は、リモート無線アダプタ１０Ａ、リモート無線アダプタ１０Ｂ、リモート無線アダプタ１０Ｃ、およびリモート無線アダプタ１０Ｄとの間で無線通信を行う。
【００１３】
リモート無線アダプタ１０Ａと電子閃光装置２０Ａとは、リモート無線アダプタ１０Ａのアクセサリシューに備えられる不図示の端子を介して有線通信する。リモート無線アダプタ１０Ｂと電子閃光装置２０Ｂとは、リモート無線アダプタ１０Ｂのアクセサリシューに備えられる不図示の端子を介して有線通信する。リモート無線アダプタ１０Ｃと電子閃光装置２０Ｃとは、リモート無線アダプタ１０Ｃとアクセサリシューに備えられる不図示の端子を介して有線通信する。リモート無線アダプタ１０Ｄと電子閃光装置２０Ｄとは、リモート無線アダプタ１０Ｄとアクセサリシューに備えられる不図示の端子を介して有線通信する。
【００１４】
なお、図１の構成は、１台のカメラ３０と５台の電子閃光装置２０、２０Ａ〜２０Ｄで構成する多灯フラッシュ撮影システムであって、電子閃光装置２０および２０ＡをグループＡとし、電子閃光装置２０ＢをグループＢとし、電子閃光装置２０ＣをグループＣとし、電子閃光装置２０ＤをグループＤとする場合を例示する。電子閃光装置の総数は５台でなくてもよく、３台でも８台でもよい。また、各グループを構成する電子閃光装置の数は適宜変更して構わない。さらにまた、カメラ３０のアクセサリシューに直接接続する電子閃光装置２０を使わずに、無線通信を行う電子閃光装置２０Ａ〜２０Ｄのみを用いて多灯フラッシュ撮影システムを構成してもよい。
【００１５】
図２は、カメラ３０、マスター無線アダプタ１０、電子閃光装置２０、リモート無線アダプタ１０Ａ、および電子閃光装置２０Ａの構成を例示するブロック図である。本実施形態では、マスター無線アダプタ１０およびリモート無線アダプタ１０Ａの回路構成を同一にしたため、両無線アダプタ間で共通するブロックに対して同一符号を付して説明する。
【００１６】
また、図２における図示を省略しているが、リモート無線アダプタ１０Ｂおよび電子閃光装置２０Ｂの構成と、リモート無線アダプタ１０Ｃおよび電子閃光装置２０Ｃの構成と、リモート無線アダプタ１０Ｄおよび電子閃光装置２０Ｄの構成は、それぞれリモート無線アダプタ１０Ａおよび電子閃光装置２０Ａの構成と同様である。
【００１７】
＜電子閃光装置＞
図２において、電子閃光装置２０および２０Ａは、それぞれキセノン管などの発光管２０１と、発光制御回路２０２と、ＣＰＵ２０３とを含む。ＣＰＵ２０３は、接続されている外部機器のＣＰＵ（リモート無線アダプタ１０ＡのＣＰＵ１０５、またはカメラ３０のＣＰＵ３０６）との間で有線通信を行いながら、発光管２０１の発光を制御する。発光制御回路２０２は高電圧充電回路を含み、放電発光に必要なエネルギーを蓄積する。ＣＰＵ２０３は、発光制御回路２０２に蓄積されたエネルギーを放電させることにより、発光管２０１を放電発光させる。
【００１８】
＜無線アダプタ＞
マスター無線アダプタ１０およびリモート無線アダプタ１０Ａは、それぞれ、アンテナ１０１と、通信回路１０２と、ＣＰＵ１０５とを含む。ＣＰＵ１０５は、接続されている外部機器のＣＰＵ（電子閃光装置２０ＡのＣＰＵ２０３、またはカメラ３０のＣＰＵ３０６）との間で有線通信を行う他、他の無線アダプタと間で行う無線通信の制御とを行う。
【００１９】
通信回路１０２は、ＣＰＵ１０５からの指示に応じて、アンテナ１０１を介して他の無線アダプタと間で無線通信を行う。
【００２０】
＜カメラ＞
カメラ３０は、撮影レンズ３０１と、シャッタ３０２と、撮像素子３０３と、測光センサ３０４と、シャッタ駆動装置３０５と、ＣＰＵ３０６と、操作部材（レリーズスイッチ含む）３０７とを備える。
【００２１】
撮影レンズ３０１は、被写体像を撮像素子３０３の撮像面に結像させる。シャッタ３０２は、シャッタ駆動装置３０５によって開閉制御される。測光センサ３０４は、入射光の強さに応じた測光信号を出力する。ＣＰＵ３０６は、測光信号に基づいて所定の露出演算を行うことにより、撮像素子３０３の感度、シャッタ３０２の開時間、および不図示の絞りの絞り値を制御する。また、ＣＰＵ３０６は、上記測光センサ３０４からの出力信号に基づいて、電子閃光装置２０、２０Ａ〜２０Ｄに対する調光制御も行う。
【００２２】
操作部材３０７は、レリーズスイッチの操作信号など、各種操作に応じた信号をＣＰＵ３０６へ送出する。撮像素子３０３で取得された画像信号は、ＣＰＵ３０６によって所定の画像処理が施され、不図示の記録媒体に記録される。
【００２３】
＜多灯撮影＞
多灯フラッシュ撮影を行う場合、カメラ３０のＣＰＵ３０６は、撮影者によるレリーズスイッチ３０７の押下操作（撮影指示）を検出してレリーズシーケンス処理を開始させる。そして、有線通信を介してマスター無線アダプタ１０へ発光指示を送出する。なお、撮影指示に先立って、リモート無線アダプタ１０Ａ〜１０Ｄ（すなわち電子閃光装置２０Ａ〜２０Ｄ）のうち発光対象となるリモート無線アダプタ（電子閃光装置）が、あらかじめ操作部材３０７の操作によって指定されているものとする。
【００２４】
―カメラとマスター無線アダプタ間の有線通信―
カメラ３０（ＣＰＵ３０６）と、マスター無線アダプタ１０（ＣＰＵ１０５）との間の通信は、有線通信である。この有線通信は、カメラ３０が主導して必要に応じて適宜行う。
【００２５】
カメラ３０とマスター無線アダプタ１０との間の通信は、通常、カメラ３０がマスター無線アダプタ１０へコマンド（例えば、発光ゲインコマンド、発光コマンド等）およびデータを送信し、これを受信したマスター無線アダプタ１０がカメラ３０へ返信（ack）する。コマンドには、電子閃光装置２０Ａに対するもの、電子閃光装置２０Ｂに対するもの、電子閃光装置２０Ｃに対するもの、電子閃光装置２０Ｄに対するものが含まれる。
【００２６】
―カメラと電子閃光装置間の有線通信―
また、カメラ３０（ＣＰＵ３０６）と、電子閃光装置２０（ＣＰＵ２０３）との間の通信も有線通信である。この有線通信も、カメラ３０が主導して必要に応じて適宜行う。
【００２７】
カメラ３０と電子閃光装置２０との間の通信は、通常、カメラ３０が電子閃光装置２０へコマンド（発光ゲインコマンド、発光コマンド等）およびデータを送信し、これを受信した電子閃光装置２０がカメラ３０へ返信（ack）する。コマンドには、電子閃光装置２０に対するものが含まれる。
【００２８】
−マスター無線アダプタとリモート無線アダプタ間の通信−
マスター無線アダプタ１０とリモート無線アダプタ１０Ａ、マスター無線アダプタ１０とリモート無線アダプタ１０Ｂ、マスター無線アダプタ１０とリモート無線アダプタ１０Ｃ、およびマスター無線アダプタ１０とリモート無線アダプタ１０Ｄとの間の通信は、それぞれ無線通信である。図３は、マスター無線アダプタ１０がリモート無線アダプタ１０Ａ（リモート無線アダプタ１０Ｂ、リモート無線アダプタ１０Ｃ、またはリモート無線アダプタ１０Ｄ）との間で行う無線通信を説明する図である。
【００２９】
リモート無線アダプタ１台当たりの無線通信の発生頻度は、カメラ３０とマスター無線アダプタ１０との間の通信の発生頻度と同じである。すなわち、カメラ３０とマスター無線アダプタ１０との間の有線通信の後、遅滞なくマスター無線アダプタ１０と各リモート無線アダプタとの間で無線通信が行われる。
【００３０】
マスター無線アダプタ１０とリモート無線アダプタ１０Ａ（１０Ｂ、１０Ｃまたは１０Ｄ）との間の通信は、通常、マスター無線アダプタ１０がリモート無線アダプタ１０Ａ（１０Ｂ、１０Ｃまたは１０Ｄ）へ上記コマンドおよびデータを送信し、これを受信したリモート無線アダプタ１０Ａ（１０Ｂ、１０Ｃまたは１０Ｄ）がマスター無線アダプタ１０へ返信（ack）する。コマンドには、通信相手のリモート無線アダプタ１０Ａ（１０Ｂ、１０Ｃまたは１０Ｄ）に装着されている電子閃光装置２０Ａ（２０Ｂ、２０Ｃまたは２０Ｄ）に対するものが含まれる。
【００３１】
−リモート無線アダプタと電子閃光装置間の通信−
各リモート無線アダプタ１０Ａ（１０Ｂ、１０Ｃまたは１０Ｄ）と、電子閃光装置２０Ａ（２０Ｂ、２０Ｃまたは２０Ｄ）との間の通信は、有線通信である。この有線通信は、各リモート無線アダプタ１０Ａ（１０Ｂ、１０Ｃまたは１０Ｄ）がマスター無線アダプタ１０との無線通信の後、対応する電子閃光装置との間で直ちに行う。
【００３２】
リモート無線アダプタ１０Ａ（１０Ｂ、１０Ｃまたは１０Ｄ）と電子閃光装置２０Ａ（２０Ｂ、２０Ｃまたは２０Ｄ）との間の通信は、通常、リモート無線アダプタ１０Ａ（１０Ｂ、１０Ｃまたは１０Ｄ）が対応する電子閃光装置２０Ａ（２０Ｂ、２０Ｃまたは２０Ｄ）へ上記コマンドおよびデータを送信し、これを受信した電子閃光装置２０Ａ（２０Ｂ、２０Ｃまたは２０Ｄ）がリモート無線アダプタ１０Ａ（１０Ｂ、１０Ｃまたは１０Ｄ）へ返信（ack）する。コマンドには、リモート無線アダプタ１０Ａ（１０Ｂ、１０Ｃまたは１０Ｄ）に装着されている電子閃光装置２０Ａ（２０Ｂ、２０Ｃまたは２０Ｄ）に対するものが含まれる。
【００３３】
＜多灯撮影時の発光タイミング＞
各電子閃光装置２０および２０Ａ〜２０Ｄの発光タイミングについて、図４を参照して説明する。図４は、各電子閃光装置２０および２０Ａ〜２０Ｄから撮影補助光を発光させる多灯フラッシュ撮影において、ＴＴＬ(through the lens)調光制御を行う場合のタイミングを例示する図である。
【００３４】
発光の大まかなタイムスケジュールを説明する。時刻ｔ０において、レリーズスイッチ３０７の押下操作（撮影指示）が行われると、カメラ３０のＣＰＵ３０６がレリーズシーケンス処理を開始させる。
【００３５】
ＴＴＬ調光制御時のレリーズシーケンス処理では、ＣＰＵ３０６から指示を受けたシャッタ駆動装置３０５がシャッタ３０２を開駆動させてシャッタ３０２の先幕が開く前に、カメラ３０（ＣＰＵ３０６）が各電子閃光装置２０および２０Ａ〜２０Ｄに対して上記グループごとに順番にモニタ発光（本発光前の予備発光）を行わせる（時刻ｔ１、ｔ３、ｔ５、ｔ７）。カメラ３０の測光センサ３０４は、モニタ発光時に被写体からの反射光を受光するように制御される（測光）。ＣＰＵ３０６は、測光センサ３０４から出力された測光信号に基づいて公知の演算処理を行うことにより、電子閃光装置２０および２０Ａ〜２０Ｄの本発光時の発光量（以下、本発光量という）を演算する。
【００３６】
本発光量の演算例は、以下の通りである。電子閃光装置２０および２０Ａ〜２０Ｄをいずれも発光させない状態で測光センサ３０４から出力された測光信号と、グループＡ（電子閃光装置２０および電子閃光装置２０Ａ）にモニタ発光させた状態で測光センサ３０４から出力された測光信号との差分に基づいて、本発光に必要なグループＡの発光量を演算する。同様に、グループＢ、グループＣ、およびグループＤについても、それぞれ電子閃光装置２０および２０Ａ〜２０Ｄを発光させない状態で測光センサ３０４から出力された測光信号と、電子閃光装置２０Ｂ（２０Ｃ、２０Ｄ）にモニタ発光させた状態で測光センサ３０４から出力された測光信号との差分に基づいて、本発光に必要なグループＢ（グループＣ、グループＤ）の発光量を演算する。
【００３７】
この際、１回目のモニタ発光の光量が適切でなかった場合（例えば、測光センサ３０４に入射される被写体からの反射光量が少なく、所定の測光信号レベルに満たない場合）には、モニタ発光量を１回目より大きく変更して２回目のモニタ発光をさせる。本実施形態では、グループＡからグループＤまでそれぞれ１回目のモニタ発光を行ってから、２回目のモニタ発光が必要と判断されたグループについてのみ２回目のモニタ発光を行う。そして、２回目のモニタ発光を行うグループについて、全ての電子閃光装置を発光させない状態で測光センサ３０４から出力された測光信号と、グループの電子閃光装置に２回目のモニタ発光をさせた状態で測光センサ３０４から出力された測光信号との差分に基づいて、本発光に必要な発光量を演算する。
【００３８】
ＣＰＵ３０６は、シャッタ３０２が全開している時刻ｔ１６において、電子閃光装置２０および２０Ａ〜２０Ｄに対して略同時に本発光させる（本撮影露光）。
【００３９】
以下、詳細な各電子閃光装置２０および２０Ａ〜２０Ｄの発光タイミングを説明する。
＜グループＡに対するモニタ発光の指示＞
時刻ｔ０にレリーズシーケンス処理を開始させたカメラ３０（ＣＰＵ３０６）は、マスター無線アダプタ１０を介して、グループＡのリモート無線アダプタ１０Ａへモニタ発光のコマンドを無線通信で送信する（発光指令）。モニタ発光のコマンド送信は、リモート無線アダプタ１０Ａからの返信（ack）を要求しない一方方向の無線通信である。
【００４０】
モニタ発光のコマンドを受信したリモート無線アダプタ１０Ａは、接続される電子閃光装置２０Ａへモニタ発光のコマンドを有線通信で送信する。これによって、電子閃光装置２０Ａが時刻ｔ１においてモニタ発光（１回目）を行う。
【００４１】
一方でカメラ３０（ＣＰＵ３０６）は、上記時刻ｔ０において、グループＡの電子閃光装置２０へモニタ発光のコマンドを有線通信で送信する（発光指令）。モニタ発光のコマンドを受信した電子閃光装置２０は、時刻ｔ１においてモニタ発光（１回目）を行う。
【００４２】
カメラ３０（ＣＰＵ３０６）は、時刻ｔ１からモニタ発光が行われる間に測光処理を行い、モニタ発光後にグループＡを対象とする上記演算処理を行わせる。この演算処理により、電子閃光装置２０および２０Ａの本発光量が算出される。また、カメラ３０（ＣＰＵ３０６）は、上記演算処理によってモニタ発光の適否、具体的には、測光信号レベルが所定レベルに満たない場合にさらなるモニタ発光を行う旨を判定する。
【００４３】
＜グループＢに対するモニタ発光の指示＞
グループＡを対象とする上記演算処理中（モニタ発光の適否の判定前）の時刻ｔ２において、カメラ３０（ＣＰＵ３０６）は、マスター無線アダプタ１０を介して、グループＢのリモート無線アダプタ１０Ｂへモニタ発光のコマンドを無線通信で送信する（発光指令）。モニタ発光のコマンド送信は、リモート無線アダプタ１０Ｂからの返信（ack）を要求しない一方方向の無線通信である。
【００４４】
モニタ発光のコマンドを受信したリモート無線アダプタ１０Ｂは、接続される電子閃光装置２０Ｂへモニタ発光のコマンドを有線通信で送信する。これによって、電子閃光装置２０Ｂが時刻ｔ３においてモニタ発光（１回目）を行う。
【００４５】
カメラ３０（ＣＰＵ３０６）は、時刻ｔ３からモニタ発光が行われる間に測光処理を行い、モニタ発光後にグループＢを対象とする上記演算処理を行わせる。この演算処理により、電子閃光装置２０Ｂの本発光量が算出される。また、カメラ３０（ＣＰＵ３０６）は、測光信号レベルが所定レベルに満たない場合には、さらなるモニタ発光を行う旨を判定する。
【００４６】
＜グループＣに対するモニタ発光の指示＞
グループＢを対象とする上記演算処理中（モニタ発光の適否の判定前）の時刻ｔ４において、カメラ３０（ＣＰＵ３０６）は、マスター無線アダプタ１０を介して、グループＣのリモート無線アダプタ１０Ｃへモニタ発光のコマンドを無線通信で送信する（発光指令）。モニタ発光のコマンド送信は、リモート無線アダプタ１０Ｃからの返信（ack）を要求しない一方方向の無線通信である。
【００４７】
モニタ発光のコマンドを受信したリモート無線アダプタ１０Ｃは、接続される電子閃光装置２０Ｃへモニタ発光のコマンドを有線通信で送信する。これによって、電子閃光装置２０Ｃが時刻ｔ５においてモニタ発光（１回目）を行う。
【００４８】
カメラ３０（ＣＰＵ３０６）は、時刻ｔ５からモニタ発光が行われる間に測光処理を行い、モニタ発光後にグループＣを対象とする上記演算処理を行わせる。この演算処理により、電子閃光装置２０Ｃの本発光量が算出される。また、カメラ３０（ＣＰＵ３０６）は、測光信号レベルが所定レベルに満たない場合には、さらなるモニタ発光を行う旨を判定する。
【００４９】
＜グループＤに対するモニタ発光の指示＞
グループＣを対象とする上記演算処理中（モニタ発光の適否の判定前）の時刻ｔ６において、カメラ３０（ＣＰＵ３０６）は、マスター無線アダプタ１０を介して、グループＤのリモート無線アダプタ１０Ｄへモニタ発光のコマンドを無線通信で送信する（発光指令）。モニタ発光のコマンド送信は、リモート無線アダプタ１０Ｄからの返信（ack）を要求しない一方方向の無線通信である。
【００５０】
モニタ発光のコマンドを受信したリモート無線アダプタ１０Ｄは、接続される電子閃光装置２０Ｄへモニタ発光のコマンドを有線通信で送信する。これによって、電子閃光装置２０Ｄが時刻ｔ７においてモニタ発光（１回目）を行う。
【００５１】
カメラ３０（ＣＰＵ３０６）は、時刻ｔ７からモニタ発光が行われる間に測光処理を行い、モニタ発光後にグループＤを対象とする上記演算処理を行わせる。この演算処理により、電子閃光装置２０Ｄの本発光量が算出される。また、カメラ３０（ＣＰＵ３０６）は、測光信号レベルが所定レベルに満たない場合には、さらなるモニタ発光を行う旨を判定する。
【００５２】
図４では、グループＡ、グループＢ、およびグループＤを対象に、さらなるモニタ発光を行う旨が判定された場合を例示する。このため、これらのグループを構成する電子閃光装置に対し、モニタ発光量を１回目より大きく変更して２回目のモニタ発光をさせる。
【００５３】
＜グループＡに対する２回目のモニタ発光指示＞
グループＤを対象とする上記演算処理中（モニタ発光の適否の判定前）の時刻ｔ８において、カメラ３０（ＣＰＵ３０６）は、マスター無線アダプタ１０を介して、グループＡのリモート無線アダプタ１０Ａへモニタ発光のコマンドを無線通信で送信する（発光指令）。リモート無線アダプタ１０Ａからの返信（ack）を要求しない一方方向の無線通信である点は、１回目のモニタ発光の指示と同様である。
【００５４】
モニタ発光のコマンドを受信したリモート無線アダプタ１０Ａは、接続される電子閃光装置２０Ａへモニタ発光のコマンドを有線通信で送信する。これによって、電子閃光装置２０Ａが時刻ｔ９においてモニタ発光（２回目）を行う。一方でカメラ３０（ＣＰＵ３０６）は、上記時刻ｔ８において、グループＡの電子閃光装置２０へモニタ発光のコマンドを有線通信で送信する。モニタ発光のコマンドを受信した電子閃光装置２０は、時刻ｔ９においてモニタ発光（２回目）を行う。
【００５５】
カメラ３０（ＣＰＵ３０６）は、時刻ｔ９からモニタ発光が行われる間に測光処理を行い、モニタ発光後にグループＡを対象とする上記演算処理を行わせる。この演算処理により、電子閃光装置２０および２０Ａの本発光量が算出される。また、カメラ３０（ＣＰＵ３０６）は、測光信号レベルが所定レベルに満たない場合には、さらなるモニタ発光を行う旨を判定する。
【００５６】
＜グループＢに対する２回目のモニタ発光指示＞
グループＡを対象とする上記演算処理中（モニタ発光の適否の判定前）の時刻ｔ１０において、カメラ３０（ＣＰＵ３０６）は、マスター無線アダプタ１０を介して、グループＢのリモート無線アダプタ１０Ｂへモニタ発光のコマンドを無線通信で送信する（発光指令）。リモート無線アダプタ１０Ｂからの返信（ack）を要求しない一方方向の無線通信である点は、１回目のモニタ発光の指示と同様である。
【００５７】
モニタ発光のコマンドを受信したリモート無線アダプタ１０Ｂは、接続される電子閃光装置２０Ｂへモニタ発光のコマンドを有線通信で送信する。これによって、電子閃光装置２０Ｂが時刻ｔ１１においてモニタ発光（２回目）を行う。
【００５８】
カメラ３０（ＣＰＵ３０６）は、時刻ｔ１１からモニタ発光が行われる間に測光処理を行い、モニタ発光後にグループＢを対象とする上記演算処理を行わせる。この演算処理により、電子閃光装置２０Ｂの本発光量が算出される。また、カメラ３０（ＣＰＵ３０６）は、測光信号レベルが所定レベルに満たない場合には、さらなるモニタ発光を行う旨を判定する。
【００５９】
＜グループＤに対する２回目のモニタ発光の指示＞
グループＢを対象とする上記演算処理中（モニタ発光の適否の判定前）の時刻ｔ１２において、カメラ３０（ＣＰＵ３０６）は、マスター無線アダプタ１０を介して、グループＤのリモート無線アダプタ１０Ｄへモニタ発光のコマンドを無線通信で送信する（発光指令）。リモート無線アダプタ１０Ｄからの返信（ack）を要求しない一方方向の無線通信である点は、１回目のモニタ発光の指示と同様である。
【００６０】
モニタ発光のコマンドを受信したリモート無線アダプタ１０Ｄは、接続される電子閃光装置２０Ｄへモニタ発光のコマンドを有線通信で送信する。これによって、電子閃光装置２０Ｄが時刻ｔ１３においてモニタ発光（２回目）を行う。
【００６１】
カメラ３０（ＣＰＵ３０６）は、時刻ｔ１３からモニタ発光が行われる間に測光処理を行い、モニタ発光後にグループＤを対象とする上記演算処理を行わせる。この演算処理により、電子閃光装置２０Ｄの本発光量が算出される。また、カメラ３０（ＣＰＵ３０６）は、測光信号レベルが所定レベルに満たない場合には、さらなるモニタ発光を行う旨を判定する。
【００６２】
カメラ３０（ＣＰＵ３０６）は、上記グループＤを対象とする演算処理に続いて、本撮影露光に備えて総合演算処理を行う。
【００６３】
＜グループＡ、Ｂ、Ｃ、Ｄの全てに対する本発光の指示＞
総合演算処理後の時刻ｔ１４において、カメラ３０（ＣＰＵ３０６）は、総合演算処理に基づく設定変更を行う。設定変更後の時刻ｔ１５において、カメラ３０（ＣＰＵ３０６）は、マスター無線アダプタ１０を介して、全てのリモート無線アダプタ１０Ａ〜１０Ｄへ本発光のコマンド、およびそれぞれの本発光量を無線通信で送信する（発光指令）。無線通信は、各リモート無線アダプタ１０Ａ〜１０Ｄからの返信（ack）を要求しない一方方向の通信である。
【００６４】
本発光のコマンドを受信したリモート無線アダプタ１０Ａ〜１０Ｄは、接続される電子閃光装置２０Ａ〜２０Ｄへ本発光のコマンドを有線通信で送信する。一方カメラ３０（ＣＰＵ３０６）は、時刻ｔ１５において、グループＡの電子閃光装置２０へ本発光のコマンドを有線通信で送信する。
【００６５】
上記本発光のコマンドの送信によって、電子閃光装置２０Ａ〜２０Ｄ、および電子閃光装置２０が、シャッタ３０２が全開している時刻ｔ１６において、略同時に本発光する（本撮影露光）。
【００６６】
以上説明した実施形態によれば、次の作用効果が得られる。
（１）カメラ３０は、複数の電子閃光装置２０（２０Ａ〜２０Ｄ）に対し、本発光前のモニタ発光指示と、本発光のための本発光指示とを送るＣＰＵ３０６と、本発光前に電子閃光装置２０（２０Ａ〜２０Ｄ）ごとのモニタ発光の適否を判定するＣＰＵ３０６と、上記否定判定された電子閃光装置２０（２０Ａ〜２０Ｄ）に対し、さらなるモニタ発光指示を送るように制御するＣＰＵ３０６と、を備え、ＣＰＵ３０６は、１回目のモニタ発光指示を全ての電子閃光装置２０（２０Ａ〜２０Ｄ）へ送ってから、ＣＰＵ３０６で否定判定された電子閃光装置２０（２０Ａ、２０Ｂ、２０Ｄ）へ複数回目のモニタ発光指示を送るようにした。これにより、１回目のモニタ発光に基づく判定結果を待ってから２回目のモニタ発光指示を送ったり、モニタ発光に基づく判定結果を待ってから次の電子閃光装置に対する１回目のモニタ発光指示を送ったりする場合に比べて、撮影指示（時刻ｔ０）から本撮影露光開始（時刻ｔ１６）までの時間（レリーズタイムラグ）を短縮し得る。
【００６７】
図５は、図４と比較を行うための図であり、１回目のモニタ発光に基づく判定結果を待ってから２回目のモニタ発光指示を送ったり、モニタ発光に基づく判定結果を待ってから次の電子閃光装置に対する１回目のモニタ発光指示を送ったりする場合のタイミングを例示する図である。図４の場合と同様に、グループＡ、グループＢ、およびグループＤを対象に、さらなるモニタ発光を行う旨が判定された場合を例示する。
【００６８】
図５において、時刻ｔ０にレリーズシーケンス処理を開始させたカメラ３０（ＣＰＵ３０６）は、マスター無線アダプタ１０を介して、グループＡのリモート無線アダプタ１０Ａへモニタ発光のコマンドを無線通信で送信する（発光指令）。モニタ発光のコマンド送信は、リモート無線アダプタ１０Ａからの返信（ack）を要求しない一方方向の無線通信である。
【００６９】
モニタ発光のコマンドを受信したリモート無線アダプタ１０Ａは、接続される電子閃光装置２０Ａへモニタ発光のコマンドを有線通信で送信する。これによって、電子閃光装置２０Ａが時刻ｔａにおいてモニタ発光（１回目）を行う。
【００７０】
一方でカメラ３０（ＣＰＵ３０６）は、上記時刻ｔ０において、グループＡの電子閃光装置２０へモニタ発光のコマンドを有線通信で送信する（発光指令）。モニタ発光のコマンドを受信した電子閃光装置２０は、時刻ｔａにおいてモニタ発光（１回目）を行う。
【００７１】
カメラ３０（ＣＰＵ３０６）は、時刻ｔａからモニタ発光が行われる間に測光処理を行い、モニタ発光後にグループＡを対象とする上記演算処理を行わせる。この演算処理により、電子閃光装置２０および２０Ａの本発光量が算出される。また、カメラ３０（ＣＰＵ３０６）は、測光信号レベルが所定レベルに満たない場合には、さらなるモニタ発光を行う旨を判定する。
【００７２】
グループＡを対象とする上記演算処理終了後（モニタ発光の適否の判定後）の時刻ｔｂにおいて、カメラ３０（ＣＰＵ３０６）は、マスター無線アダプタ１０を介して、グループＡのリモート無線アダプタ１０Ａへモニタ発光のコマンドを無線通信で送信する（発光指令）。リモート無線アダプタ１０Ａからの返信（ack）を要求しない一方方向の無線通信である点は、１回目のモニタ発光の指示と同様である。
【００７３】
モニタ発光のコマンドを受信したリモート無線アダプタ１０Ａは、接続される電子閃光装置２０Ａへモニタ発光のコマンドを有線通信で送信する。これによって、電子閃光装置２０Ａが時刻ｔｃにおいてモニタ発光（２回目）を行う。一方でカメラ３０（ＣＰＵ３０６）は、上記時刻ｔｂにおいて、グループＡの電子閃光装置２０へモニタ発光のコマンドを有線通信で送信する。モニタ発光のコマンドを受信した電子閃光装置２０は、時刻ｔｃにおいてモニタ発光（２回目）を行う。
【００７４】
カメラ３０（ＣＰＵ３０６）は、時刻ｔｃからモニタ発光が行われる間に測光処理を行い、モニタ発光後にグループＡを対象とする上記演算処理を行わせる。この演算処理により、電子閃光装置２０および２０Ａの本発光量が算出される。また、カメラ３０（ＣＰＵ３０６）は、測光信号レベルが所定レベルに満たない場合には、さらなるモニタ発光を行う旨を判定する。
【００７５】
以降、グループＢおよびグループＤについても同様に、１回目のモニタ発光に基づく判定結果を待ってから（モニタ発光の適否の判定後）２回目のモニタ発光指示を送る。図５に例示した方式では、撮影指示（時刻ｔ０）から本撮影露光開始（時刻ｔｐ）までの時間（レリーズタイムラグ）が、本実施形態による図４の場合（時刻ｔ０から時刻ｔ１６まで）より長いものとなる。
【００７６】
（２）発光指示を送るＣＰＵ３０６は、一の電子閃光装置で行われたモニタ発光に対してＣＰＵ３０６で適否が判定される前に、次の電子閃光装置へモニタ発光指示を送るので、撮影指示（時刻ｔ０）から本撮影露光開始（時刻ｔ１６）までの時間（レリーズタイムラグ）を短縮し得る。
【００７７】
（３）発光指示を送るＣＰＵ３０６は、複数の電子閃光装置がグループ分けされたグループ単位でモニタ発光指示を送り、判定を行うＣＰＵ３０６は、グループごとのモニタ発光の適否を判定し、制御を行うＣＰＵ３０６は、否定判定されたグループ内の電子閃光装置に対し、さらなるモニタ発光指示を送るように制御する。そして、発光指示を送るＣＰＵ３０６は、１回目のモニタ発光指示を全てのグループの電子閃光装置へ送ってから、判定を行うＣＰＵ３０６で否定判定されたグループ内の電子閃光装置へ複数回目のモニタ発光指示を送るようにした。これにより、電子閃光装置をグループ単位で発光させる場合にも、適切に発光制御を行える。
【００７８】
（４）電子閃光装置がモニタ発光した場合における被写体からの反射光量に基づいて、電子閃光装置の本発光時の発光量を演算するＣＰＵ３０６を備えるので、調光制御を適切に行わせることができる。
【００７９】
（５）判定を行うＣＰＵ３０６は、反射光量が所定レベルより小さい場合に否定判定するので、調光制御のための演算を適切に行わせることができる。
【００８０】
（変形例１）
上記の説明では、カメラ３０にマスター無線アダプタ１０を装着する例を説明したが、マスター無線アダプタ１０をカメラ３０に内蔵させてもよい。
【００８１】
（変形例２）
また、上記の説明では、カメラ３０に電子閃光装置２０を装着する例を説明したが、電子閃光装置２０をカメラ３０に内蔵させてもよい。
【００８２】
（変形例３）
図４の例では、一のグループ（例えばグループＡ）の電子閃光装置によって所定時刻（例えば時刻ｔ１）よりモニタ発光が行われている間に測光処理を行い、モニタ発光後に当該グループを対象とする演算処理を開始させ、その演算処理中において（例えば時刻ｔ２）、他のグループ（例えばグループＢ）へモニタ発光のコマンドを無線通信で送信する（発光指令）例を説明した。このため、一のグループ（例えばグループＡ）を対象とする測光処理と、他のグループ（例えばグループＢ）を対象とする測光処理との間に、先のグループ（グループＡ）を対象とする演算処理が含まれることになる。この代わりに、発光指令間隔を短く変更することにより、一のグループ（例えばグループＡ）を対象とする測光処理の後、直ちに他のグループ（例えばグループＢ）を対象とする測光処理を開始させるとともに、先のグループ（グループＡ）を対象とする演算処理を、測光処理の裏で行うバックグラウンド処理として行うようにしてもよい。
【００８３】
変形例３によれば、異なるグループの電子閃光装置（例えばグループＡとグループＢ）の間で測光処理を続けて行えるように、測光処理に続く演算処理をバックグラウンド処理で行うようにしたので、図４の場合に比べて、さらに撮影指示（時刻ｔ０）から本撮影露光開始（時刻ｔ１６）までの時間（レリーズタイムラグ）を短縮し得る。
【００８４】
（変形例４）
上述した説明では、電子閃光装置へモニタ発光や本発光のコマンド送信を行うために、マスター無線アダプタ１０とリモート無線アダプタ１０Ａ（１０Ｂ、１０Ｃ、１０Ｄ）との間で電波による無線通信を行う例を説明した。コマンド送信を無線通信で行う代わりに、光通信（例えば光パルス通信）で行う構成にしても構わない。
【００８５】
以上の説明はあくまで一例であり、上記の実施形態の構成に何ら限定されるものではない。
【符号の説明】
【００８６】
１０…マスター無線アダプタ
１０Ａ、１０Ｂ、１０Ｃ、１０Ｄ…リモート無線アダプタ
２０、２０Ａ、２０Ｂ、２０Ｃ、２０Ｄ…電子閃光装置
３０…カメラ
１０１…アンテナ
１０２…通信回路
１０５、２０３、３０６…ＣＰＵ
２０１…発光管
２０２…発光制御回路
３０４…測光センサ
【図１】
2015041053.tif 000003
【図２】
2015041053.tif 000004
【図３】
2015041053.tif 000005
【図４】
2015041053.tif 000006
【図５】
2015041053.tif 000007